(57)【特許請求の範囲】
【請求項１】
コンピュータを利用した、受験者の合否通知に続く特定個人別受験者専用の各種情報画面表示システムにおいて、
受験番号別の受験者属性情報データベース、受験番号別合否情報データベース、該属性別アクション対応データベース、アクション情報データベース、アクション情報閲覧履歴データベースを有し、
主催者側が合否通知に続けて受験者に表示するアクション情報を決定し、システム側にアップロードする送信手段手段、
主催者側が下記情報をどのような項目として分類わけするかを決定して、項目に対応した情報をシステム側にアップロードする送信手段を有し、
１）受験願書から判明する受験者属性情報
２）主催者が既に有している受験者属性情報
その決定した項目と既に決定したアクション情報とを２次元の表の縦横軸にそれぞれ対応させ、
項目とアクション情報との対応関係の設定を縦横軸の交差点に選択のための印を付けることで行い、
項目とアクション情報との対応関係が１対１の場合は交差点に印した１つの印に対応してアクション情報を画面表示し、
同じ項目に複数の選択をおこなった場合はOR処理により選択された属性をもつ受験者全てに対してアクション情報を画面表示し、異なる項目に複数の選択をおこなった場合にはAND処理により選択された属性を全て満たす受験者にアクション情報を画面表示する
項目とアクション情報との対応関係設定手段を有し、
該設定を随時システム側にアップロードする送信手段を有し、
主催者側が受験番号別合否情報を受験番号別合否情報データベースへアップロードする送信手段を有し、
検索者側は、検索のための入試種別、受験番号の入力手段、別画面の誕生月日入力手段、
複数合否情報表示の場合の選択手段を有し、
検索者が入力した入試種別、受験番号のみで、第１次の受験者特定を行い、該当受験番号が存在した場合に、２次的に入力される誕生月日の情報に対応してさらに受験者の特定をおこなう特定手段、
特定された受験番号から受験番号別合否情報データベースに登録されている合否情報を取り出す取り出し手段、
取り出した合否情報を表示する表示手段、
特定された受験番号から対応する属性の受験番号別属性情報データベースから属性を取り出す取り出し手段、
該属性に対応したアクション情報を属性別アクション対応データベースから取り出す取り出し手段、
取り出したアクション情報を合否の通知に続いて表示する表示手段を有したことを特徴とする合否通知に続く特定個人別受験者専用の各種情報画面表示システム。
【請求項２】
検索者側にさらに受験者か保護者かを画面表示して尋ねる表示手段と、
受験者か保護者かによって対応するアクション情報を異ならせて表示させる表示手段をさらに有したことを特徴とする請求項１記載の合否通知に続く特定個人別受験者専用の各種情報画面表示システム。
【請求項３】
該合否情報データベースには、合否通知開始と終了の日時情報を設け、合否通知期間を設定可能としたことを特徴とする請求項１記載の合否通知に続く特定個人別受験者専用の各種情報画面表示システム。
【請求項４】
該検索のための入試種別、受験番号、誕生月日の入力手段として２次元コードを用いたことを特徴とする請求項１記載の合否通知に続く特定個人別受験者専用の各種情報画面表示システム。
【請求項５】
該アップロードされた受験者属性情報から項目内の該当属性データ数をシステム側が自動集計して属性別アクション対応データベースの２次元の表の一方の軸に表示を行うことを特徴とする請求項１記載の合否通知に続く特定個人別受験者専用の各種情報画面表示システム。
【請求項６】
検索者がアクション情報を閲覧したことをアクション情報閲覧履歴データベースに記録する記録手段と、
該アクション情報閲覧履歴データベースから該アクション情報閲覧履歴を閲覧あるいは取り出すことが出来る取り出し手段と
を有したことを特徴とする請求項１記載の合否通知時に続く特定個人別受験者専用の各種情報画面表示システム。
【請求項７】
コンピュータを、
受験番号別の受験者属性情報データベース、受験番号別合否情報データベース、該属性別アクション対応データベース、アクション情報データベース、アクション情報閲覧履歴データベースを有し、
主催者側が合否通知に続けて受験者に表示するアクション情報を決定し、システム側にアップロードする送信手段、
主催者側が下記情報をどのような項目として分類わけするかを決定し項目に対応した情報をシステム側にアップロードする送信手段を有し、
１）受験願書から判明する受験者属性情報
２）主催者が既に有している受験者属性情報
その決定した項目と既に決定したアクション情報とを２次元の表の縦横軸にそれぞれ対応させ、
項目とアクション情報との対応関係の設定を縦横軸の交差点に選択のための印を付けることで行い、
項目とアクション情報との対応関係が１対１の場合は交差点に印した１つの印に対応してアクション情報を画面表示し、
同じ項目に複数の選択をおこなった場合はOR処理により選択された属性をもつ受験者の全てにアクション情報を画面表示し、
異なる項目に複数の選択をおこなった場合にはAND処理により選択された属性を全て有する受験者にアクション情報を画面表示する
項目とアクション情報との対応関係設定手段として機能させ、
さらに該設定を随時システム側にアップロードする送信手段、
主催者側が受験番号別合否情報データベースへ受験番号別合否情報をアップロードする送信手段として機能させ、
検索者側は、検索のための入試種別、受験番号の入力手段、別画面の誕生月日入力手段、複数合否情報表示の場合の選択手段として機能させ、
検索者が入力した入試種別、受験番号のみで、第１次の受験者特定を行い、該当受験番号が存在した場合に、２次的に入力される誕生月日の情報に対応してさらに受験者の特定をおこなうための特定手段として機能させ、
特定された受験番号から受験番号別合否情報データベースに登録されている合否情報を取り出す取り出し手段、
取り出した合否情報を表示する表示手段、
特定された受験番号から対応する属性の受験番号別属性情報データベースから属性を取り出す取り出し手段、
該属性に対応したアクション情報を属性別アクション対応データベースから取り出す取り出し手段、
取り出したアクション情報を合否の通知に続いて表示する表示手段として機能させたことを特徴とする合否通知に続く特定個人別受験者専用の各種情報画面表示プログラム。
【発明の詳細な説明】
【技術分野】
【０００１】
本発明は、ネットワークを介した試験等の結果通知時における個人別情報の提供方法、システム及び装置に関する。特に合否情報に付随して、受験者の属性に対応したメッセージを表示することにより、入学歩留まりの向上に寄与するシステムに関するものである。
【背景技術】
【０００２】
学校（大学・各種専門学校・高校・小学校）などへの入学においては、入学試験を行うところが多く、それらのネットワークを介した合否結果の通知サービスでは、合格発表日に学校の掲示板に発表する方法や、学校等のホームページに受験番号を一斉に掲載する方法が採られていた。また、あらかじめ合否の通知を業者に依頼すれば、電報等で通知してくれるものも存在した。しかし、それらの方法では、合否の結果のみを通知するだけで、全く合格後の入学意欲を刺激したり、合格した学校の魅力を伝えたり、合格率や合格後の進路など諸情報を伝達するようにはなっておらず、単純で一方的で味気ないものであった。合格通知におけるサーバの負担を軽減するものとしては特許文献１がある。
【０００３】
【特許文献１】特開２００２−２３０１８４
【発明の開示】
【発明が解決しようとする課題】
【０００４】
近年、学校等の総入学定員よりも受験者総数の方が年々減少しているため、合格者に対する入学者の割合が下がっている学校が年々増加している。従って、学校側としては、毎年の入学者を確保し、学校経営を安定させるための対策として、受験者を増やすことだけでなく、合格者に対する入学率をアップさせることが切実に要望されている。
【０００５】
一方受験者にとっても、仮に５校に合格したとしても、果たして、どこに入学するのが自分にとって最も好ましいのか、合格後には直ちに判断できかねるのが一般的であり、何らかの情報を欲している状況ということができる。
【０００６】
この点の両者の不安感の解決を図るため、本発明が考えられたものであり、合格の慶びを得たその貴重な瞬間に、受験生にとって何らかの付加価値のある情報が送られるものである。
【０００７】
しかもその情報は、受験者の属性などと連動させ、本人にとって、親しみの持てるものとできるような工夫を行うことで、学校への親近感、興味をより深くさせ、入学への意欲をおおいにそそられるものとすることが可能となる。また、合格事実は本人が何度も見たくなるものであり、さらに本人以外にも家族なども確認作業を行うことが考えられる。本発明はそれらの検索対象に対応した提供情報の変更もできるように工夫されている。
【０００８】
そして、その検索手段としては、本発明においては、携帯電話あるいはインターネットを介したパソコン等を用いた。セキュリティの面においては、携帯電話であれば、接続時には、携帯電話キャリアのゲートウェイを介して接続されるため、携帯電話キャリアのゲートウェイにおけるセキュリティ対策の実行により守られていることから、携帯電話上ではプログラムを実行して攻撃を行うことが困難な環境にあり、オープンなパソコン環境からの接続に比べてセキュリティが高くなっているといえる。しかしながらパソコンにおいてもファイアウオールの設置や、盗聴が難しいＶＰＮの採用等一般に用いられている種々のセキュリティを用いることが可能である。
【課題を解決するための手段】
【０００９】
上記の課題を解決するために、請求項１記載の合否通知に続く特定個人別受験者専用の各種情報画面表示システムは、コンピュータを利用した、受験者の合否通知に続く特定個人別受験者専用の各種情報画面表示システムにおいて、
受験番号別の受験者属性情報データベース、受験番号別合否情報データベース、該属性別アクション対応データベース、アクション情報データベース、アクション情報閲覧履歴データベースを有し、
主催者側が合否通知に続けて受験者に表示するアクション情報を決定し、システム側にアップロードする送信手段手段、
主催者側が下記情報をどのような項目として分類わけするかを決定して、項目に対応した情報をシステム側にアップロードする送信手段を有し、
１）受験願書から判明する受験者属性情報
２）主催者が既に有している受験者属性情報
その決定した項目と既に決定したアクション情報とを２次元の表の縦横軸にそれぞれ対応させ、
項目とアクション情報との対応関係の設定を縦横軸の交差点に選択のための印を付けることで行い、
項目とアクション情報との対応関係が１対１の場合は交差点に印した１つの印に対応してアクション情報を画面表示し、
同じ項目に複数の選択をおこなった場合はOR処理により選択された属性をもつ受験者全てに対してアクション情報を画面表示し、異なる項目に複数の選択をおこなった場合にはAND処理により選択された属性を全て満たす受験者にアクション情報を画面表示する
項目とアクション情報との対応関係設定手段を有し、
該設定を随時システム側にアップロードする送信手段を有し、
主催者側が受験番号別合否情報を受験番号別合否情報データベースへアップロードする送信手段を有し、
検索者側は、検索のための入試種別、受験番号の入力手段、別画面の誕生月日入力手段、
複数合否情報表示の場合の選択手段を有し、
検索者が入力した入試種別、受験番号のみで、第１次の受験者特定を行い、該当受験番号が存在した場合に、２次的に入力される誕生月日の情報に対応してさらに受験者の特定をおこなう特定手段、
特定された受験番号から受験番号別合否情報データベースに登録されている合否情報を取り出す取り出し手段、
取り出した合否情報を表示する表示手段、
特定された受験番号から対応する属性の受験番号別属性情報データベースから属性を取り出す取り出し手段、
該属性に対応したアクション情報を属性別アクション対応データベースから取り出す取り出し手段、
取り出したアクション情報を合否の通知に続いて表示する表示手段を有したことを要旨とする。
【００１０】
請求項２記載の合否通知に続く特定個人別受験者専用の各種情報画面表示システムは、検索者側にさらに受験者か保護者かを画面表示して尋ねる表示手段と、
受験者か保護者かによって対応するアクション情報を異ならせて表示させる表示手段をさらに有したことを要旨とする。
【００１１】
請求項３記載の合否通知に続く特定個人別受験者専用の各種情報画面表示システムは、該合否情報データベースには、合否通知開始と終了の日時情報を設け、合否通知期間を設定可能としたことを要旨とする。
【００１２】
請求項４記載の合否通知に続く特定個人別受験者専用の各種情報画面表示システムは、該検索のための入試種別、受験番号、誕生月日の入力手段として２次元コードを用いたことを要旨とする。
【００１３】
請求項５記載の合否通知に続く特定個人別受験者専用の各種情報画面表示システムは、該アップロードされた受験者属性情報から項目内の該当属性データ数をシステム側が自動集計して属性別アクション対応データベースの２次元の表の一方の軸に表示を行うことを要旨とする。
【００１４】
請求項６記載の合否通知時に続く特定個人別受験者専用の各種情報画面表示システムは、検索者がアクション情報を閲覧したことをアクション情報閲覧履歴データベースに記録する記録手段と、
該アクション情報閲覧履歴データベースから該アクション情報閲覧履歴を閲覧あるいは取り出すことが出来る取り出し手段と
を有したことを要旨とする。
【００１５】
請求項７記載の合否通知に続く特定個人別受験者専用の各種情報画面表示プログラムは、コンピュータを、
受験番号別の受験者属性情報データベース、受験番号別合否情報データベース、該属性別アクション対応データベース、アクション情報データベース、アクション情報閲覧履歴データベースを有し、
主催者側が合否通知に続けて受験者に表示するアクション情報を決定し、システム側にアップロードする送信手段、
主催者側が下記情報をどのような項目として分類わけするかを決定し項目に対応した情報をシステム側にアップロードする送信手段を有し、
１）受験願書から判明する受験者属性情報
２）主催者が既に有している受験者属性情報
その決定した項目と既に決定したアクション情報とを２次元の表の縦横軸にそれぞれ対応させ、
項目とアクション情報との対応関係の設定を縦横軸の交差点に選択のための印を付けることで行い、
項目とアクション情報との対応関係が１対１の場合は交差点に印した１つの印に対応してアクション情報を画面表示し、
同じ項目に複数の選択をおこなった場合はOR処理により選択された属性をもつ受験者の全てにアクション情報を画面表示し、
異なる項目に複数の選択をおこなった場合にはAND処理により選択された属性を全て有する受験者にアクション情報を画面表示する
項目とアクション情報との対応関係設定手段として機能させ、
さらに該設定を随時システム側にアップロードする送信手段、
主催者側が受験番号別合否情報データベースへ受験番号別合否情報をアップロードする送信手段として機能させ、
検索者側は、検索のための入試種別、受験番号の入力手段、別画面の誕生月日入力手段、複数合否情報表示の場合の選択手段として機能させ、
検索者が入力した入試種別、受験番号のみで、第１次の受験者特定を行い、該当受験番号が存在した場合に、２次的に入力される誕生月日の情報に対応してさらに受験者の特定をおこなうための特定手段として機能させ、
特定された受験番号から受験番号別合否情報データベースに登録されている合否情報を取り出す取り出し手段、
取り出した合否情報を表示する表示手段、
特定された受験番号から対応する属性の受験番号別属性情報データベースから属性を取り出す取り出し手段、
該属性に対応したアクション情報を属性別アクション対応データベースから取り出す取り出し手段、
取り出したアクション情報を合否の通知に続いて表示する表示手段として機能させたことを要旨とする。
【発明の効果】
【００１６】
本発明にかかる合否通知時の個人別情報提供方法、システム及びプログラムによれば、合否の結果のみではなく、受験者本人の属性に関連付けられたアクション情報が合否の通知の次に取り出し可能となるため、合格の喜びに浸っている瞬間に適宜その受験生にとって関連の深い人あるいは合格した学校の学長などから勧誘や祝福のメッセージを受けることができ、入学への意欲を掻き立てられるとともに、同じ出身の先輩からのアドバイスなども受信できより具体的に入学後の学生生活をイメージすることが可能となる。当該学校への入学の夢をより身近に感じ、入学意欲をかきたてられ、意欲の増大・継続に繋がるものとなる。また、受験生の属性に対応するきめ細かなアクション情報の設定も可能であるため、情報発信者である学校側においても、よりきめ細やかなアクション情報の設定が可能となり、他校との差別化を早くも合格発表時において行うことができる。さらに、学校側はアクション情報の閲覧状況や履歴を見ることができるため、どのようなアクション情報を合格発表時に行うのが入学率を向上させるために効果的かあるいは、アクション情報を見たもののどれくらいの割合が現実に入学するのか、あるいは効果的なアクション情報とは何なのかなど、種々のデータを取得することができる。このデータを利用すれば、入学率をあらかじめ予測したり、次年度の入学率向上のための対策を立てることが可能となる。
【発明を実施するための最良の形態】
【００１７】
本発明は、合格か否かを検索してきたものに対して、単なる合否の通知のみを行うのではなく、受験者の属性に関連する工夫された情報なり、メッセージを発信することで、受験者あるいは保護者、家族に対して、自校のアピールを自動的に行うことができ好ましい。また、受験者の属性としては、出願時に出願書類にて判別できる属性として、性別、出身学校、出身都道府県、受験する学部・学科、学年（現役なのか浪人なのか）等になる。対応するメッセージは学校側で自由に設定でき、またどの属性とどの属性を対応させるのかあるいは複数の属性に対応させることも、さらに、１つの受験番号に対して、１つの属性にそれぞれ個別に対応したメッセージを複数表示させることも可能となっている。
【００１８】
システム概要フロー図としては図１となる。受験生側のフロー図と学校側のフロー図があり、中央のシステム側には各種情報についてのデータベースが設けられ、受験番号等の検索タームによりこれらのデータベースにアクセス後検索タームと一致する情報に関連付け、あるいは検索タームから一旦それに関連付けられた属性を検索し、さらに属性あるいは属性の組み合わせと関連付けられたアクション情報を取り出せるシステムとなっている。
【００１９】
セキュリティの面については、これらの学校の情報アップロード画面のセキュリティを確保するため、データ送信時のＳＳＬ暗号化通信、ファイアウオールの設置、ログイン用ＩＤに対するパスワード設定等の一般的なセキュリティ対策に加え、本システムにおいては、アクセスＩＰ制限、すなわち、ログイン用ＩＤごとにアクセス可能なＩＰアドレスを設定し、他のＩＰアドレスからのアクセス時には、パスワードがあっていてもログインできないようにしている。他にもパスワードご入力回数制限、ワンタイムパスワードなどのセキュリティ対策を講じるものとする。
【実施例１】
【００２０】
本発明の実施例１について、図面を参照して説明する。図２（ａ）には受験番号別属性情報を表示し、図２（ｂ）には合否情報を表示する。なお、本発明の合格検索システムの合否通知期間は、図２（ｂ）に示すように受験番号別合否情報データベースに合否通知の開始期間と終了期間を登録することにより、任意に設定することができる。本実施例においては、図２（ｂ）において合格通知開始を「２００８０２０１１０００」と表示したことで、「２００８年２月１日１０：００」開始となり、合格通知終了を「２００８０２０８１７００」と表示したことで、「２００８年２月８日１７：００」終了とすることができ、任意の期間が設定可能となる。なお実施例においてはいずれも大学受験を想定しているが、本発明は大学に限るわけではなく、各種受験に適用可能である。
【００２１】
本実施例においては、受験生をＸ１  合否情報提供者は大学Ｙ１とする。
まず、このシステムを利用して、受験者に合否情報とともに、入学勧誘等の各種情報を提供しようとする大学側Ｙ１は、図１の情報アップロード用専用管理サイトＵＲＬにアクセス（１０１）して、３つのアップロードを行う。なお、下記のアクション情報、受験番号別属性情報、受験番号別合否情報、はローカルで作成されたデータファイル（例えばＣＳＶ形式、エクセル形式等）をインターネット回線を通じて専用管理サイト画面上からアップロードされる。
【００２２】
まず、事前準備として、アクション情報をアップロードする（１０２）。すなわち、図３に記載のような個別のメッセージ、例えば学長からのメッセージ、在学生からのメッセージ、保護者向けメッセージなどサイトに表示させるためのアクション情報とそれぞれのアクション情報に対するアクションＩＤを登録する。これらの登録はすべてパーソナルコンピューターからインターネット回線を通じて行われる。このIDはその後に設定する受験者属性との組み合わせにおいて使用することになる。例として図４・図５に記載の縦欄にアクションＩＤを付与して対応関係設定を行っていることを示す。アップロードされた情報はアクション情報データベース（Ｄ）に登録される。
【００２３】
次に受験者確定後の作業として、受験番号別属性情報をアップロードする（１０３）。そして、状況の表示（２０３）がなされ、システム側の受験番号別属性情報データベースに登録される（Ｂ）。参考例を図２（ａ）に示すが、性別、出身エリア、学年、学校名などの情報は受験願書に記載されている項目から抜粋したものであり、またオープンキャンパス参加情報は、大学で蓄積しているデータベースを利用し、いずれも学校側から提供を受けるものである。特徴としては、受験者の数は膨大であり、サーバの処理を考え、住所はすべての住所データを用いるのではなく、出身エリアという単位にしている。出身エリアをどの程度の範囲とするかは、このシステムを利用する学校側で設定できるようにしている。あらかじめ設定したプログラムを提供することもできることは勿論である。また、生年月日は受験者の本人確認の要素及び受験番号の入力ミスを判定するための要素の１つとして用いられるため、西暦まで入力させる必要がなく、誕生月日の入力を要求するにとどめているのが特徴である。
【００２４】
次に、属性情報とアクション情報の対応関係、すなわち、特定の属性を有する受験生に、あるいは、複数種類の属性を有する受験生にこのアクション情報を流すなどの対応関係の設定を行う。例としての設定表を図４に示す。横欄（行）が受験生の属性情報であり、縦欄（列）が対応するアクション情報を示す。横欄の工夫点は、縦欄トップに位置する「受験者：データ数２００」である。これはその学校を受験した受験者の総数を示し、すべての受験生に同じメッセージを流したい場合には、この欄の横列で流したいメッセージの欄に○印をする。その例を図４Ａの（ａ）に示す。この○印をプログラムが検出して対応する縦欄のアクションＩＤのメッセージが表示されるようになっている。したがって、２つのメッセージを表示したければ、２つのアクションＩＤに対応して印をすれば良い。表示の仕方は１画面目（図４Ａ（ａ））→２画面目（図４Ａ（ｂ））→３画面目（図４Ｂ）というようにもできるし（実施例１）、一度に全ての表示選択画面を１画面に載せることもできる（実施例２）。これらのデータがシステム内の属性別・アクション対応データベース（Ｃ）に記録される。
この項目の設定も学校側に自由に任せられる。同じく男性にアクションＩＤ２のものを流す場合、女性にアクションＩＤ３のメッセージを流す場合には図４Ａの（ｂ）のように、男性欄・女性欄で対応するアクションＩＤ欄との交差欄に○印をつけることになる。次に例えば受験番号別属性情報を複数組み合わせて対応させた属性アクション情報、すなわち  女性で東京出身という属性の複数組み合わせに対して属性情報別アクション情報ＩＤ１１の「東京出身の在校生によるお祝いメッセージ」を表示させるには、女性欄と出身エリア東京欄でアクションＩＤ欄１１との交差点２箇所に○印を付することになる（図４Ｂ）。
次に合格者決定後には、受験番号別合否情報（図２（ｂ））のアップロードを行う（１０４）。この情報は受験番号別合否情報データベース（Ａ）に登録される。最後に合格発表後には各受験者等からの合否検索がなされるので対応して応答したシステムの履歴が蓄積されるため（図７、図１のＥ）それを学校側として閲覧し（図１の１０５）、今後の対応に役立てることができる。本実施例ではアクション情報ごとに対象人数と閲覧人数の割合を表示できるようにしており、アクション情報ごとの閲覧割合が一目でわかるように工夫されている。
【００２５】
最後に、このアクション情報の履歴がシステム内（Ｄ）に保存され、学校側あるいはシステム開発者がどのアクション情報がみられたか、あるいはどの受験生がアクション情報を見たのかなどの履歴を閲覧（Ｅ）することが可能となる。この閲覧により、合格後入学率の良いアクション情報が何なのかというようなことも分析することができるものである。
【００２６】
なお、上記したように受験番号別属性情報、受験番号別合否情報、アクション情報はローカルで作成されたデータファイル（例えばＣＳＶ形式、エクセル形式等）をインターネット回線を通じて専用管理サイト画面上からアップロードされるが、以下に示す手段を利用して、アクション情報の中身やそれぞれのアクション情報をどのような属性の組み合わせあるいは単独の属性情報に対応させて表示させるかということを画面上で選択できるようになっている。また、実際にシステムが作動してからも、随時これらの設定内容を変更修正することが可能であり、柔軟な対応が可能となる。
受験生Ｘ１が大学Ｙ１を受験し、その後合格発表の日に大学の合否をそれぞれ本システムを利用して、自己の携帯電話から検索した場合を想定する。
【００２７】
受験生Ｘ１の出願願書から判明する属性情報：
同一受験番号に対する合否判定学部がひとつである
１、年齢  ：  １８歳
２、性別  ：  女性
３、出身エリア：  東京
４、出身高校：  東京都立日比谷高校
５、受験学部：  理学部
６、オープンキャンパス参加履歴：  ７月１８日の説明会参加
表示の例示
合否通知対象表示画面→表示なし（合否判定対象学部がひとつのため）
合否結果：合格→合格された皆様への画面へと続く
アクション情報
→女性の理学部受験生に、女性の理学部卒業生からのメッセージ（２と５の属性の組み合わせ）
→女性の東京在住の受験生に、女性の東京出身の在校生からのメッセージ（２と３の属性の組み合わせ：図４Ｂ  アクションＩＤ１１参照）
→東京在住の理学部受験生に、東京出身の理学部生からのメッセージ（３と５の属性の組み合わせ）
→東京都立日比谷高校在籍の受験生に、東京都立日比谷高校出身の在校生からのメッセージ（４の属性）
→東京在住の受験生に、東京出身の著名人からのメッセージ（３の属性）
→７月１８日説明会に参加した受験生に、７月１８日説明会の担当であった入試課担当者からのメッセージ（６の属性）
合格した受験者からの検索：受験生Ｘ１が合格したと仮定する。Ｘ１は発表後、携帯で、図６に示すように携帯により自己の受験した対象大学の合格検索画面に入り、入試種別・受験番号を入力する（６０１）。ここで２つの入力から該当者がヒットするまで、システムとしては画面を繰り返す。一致するデータが得られた段階で次に進み、誕生月日の入力を促し（６０２）、入力結果をデータベースに問い合わせを行う。するとそのデータを受けたシステム側では、あらかじめデータベースに登録されている受験番号別合否情報にアクセスを行い、入力された受験番号で一致する受験番号の検索を行い、一致した受験番号に関連付けられた合否情報を取り出し、受験生に結果として表示する（６０４）。
【００２８】
このように、受験番号と誕生月日の入力画面を分けたのは、ミス入力があった場合にいち早く修正ができるような工夫である。この両者を同一画面に構成していると、受験番号を間違えた場合、誕生月日を間違えた場合  両方を間違えた場合の３通りが生じる可能性があり、エラーがでても入力者にはどこを直せばよいかわかりにくくなるためである。なお、この受験生の場合は、１つしか受けていないため、受験種別を選択する画面（６０３）は表示されず、スキップして１つの受験番号の合否結果を表示することになる（６０４）。
そして、図４Ａ（ａ）の場合の設定であれば学校長のメッセージが表示され、図４Ａ（ｂ）の設定であれば、受験生Ｘ１は女性のため、アクションＩＤ３の女性用のメッセージが表示される。また図４Ｂの場合の設定であれば、出身エリアが東京であるので、アクションＩＤ１１のアクション情報が表示される。ここで異なる項目に○印がある場合は両方の項目を満たした人においてその列上部のアクション情報を表示し、同じ項目内で異なる属性に○印がある場合は、択一関係にたつ。すなわち受験生Ｘ１の場合は、女性であって、出身エリアが東京であるので○印がついているアクションＩＤ１１の在校生メッセージが表示されたのである。もしこの女性が関西出身あるいは中国出身であれば、出身エリアが関西でも中国でも該当するアクションＩＤ１３のアクション情報が表示されることとなる。
【実施例２】
【００２９】
実施例２においては、受験生Ｘ１のみではなく、受験生の保護者がアクセスした場合にも対応できるシステムについて説明する。図５（ｃ）にその画面イメージが記載されている。合否の通知受領までは同じであるが、合否通知の次の画面において、受験者へのメッセージと保護者用のメッセージの選択を可能としている（５０１）。しかも受験生へのメッセージにもさらにメッセージの種類を選択できるように構成している。このような構成であれば、検索者はより少ない回数で目的のメッセージまで到達することができるため、操作性が良い。また保護者へのメッセージまで用意されているということで、学校に対する最初の印象が非常に良いものとなり、家族としてもどの学校とすべきか、あるいは、入学や今後の学生生活においてどの程度の費用が必要か、さらには地方であれば、寮は準備されているか、下宿の斡旋はどうかなど知りたい情報が山積みである時期に、タイムリーに呼びかけてもらえることで、合格情報取得当初に安心感を得られることになる。
この場合の属性・アクション情報対応関係は図５（ａ）（ｂ）のようになる。
【実施例３】
【００３０】
実施例３においては、２次元コードを利用した合否検索システムであって、下記受験生Ｘ２についての例を説明する。ここで２次元コードというのは、縦方向、横方向にも情報を持つコードのことを意味し、現在４種類ほどの２次元コードが存在する。この２次元コードを受験表にあらかじめ記載し、情報として入試種別や受験番号、ＱＲコードからのアクセス専用の受験番号別ログイン用パスワードなどの情報を持った本人専用のＵＲＬを表示させておけば（図６の６０５）、携帯による合否検索において、図６における６０１（入試種別と受験番号の入力）から６０２（誕生月日の入力）の操作が必要ではなくなり、図６の６０３の画面からの検索となる。また、それらの入力の間違いも防止できるため便利である。また、同一受験番号について合否判定学部が複数ある場合の表示について説明する。
受験生Ｘ２の出願願書から判明する属性情報：
同一受験番号に対する合否判定学部が複数ある場合（法学部、経済学部）
１、年齢  ：      １９歳
２、性別  ：      男性
３、出身都道府県：山梨県
４、出身エリア  ：関東
５、出身高校：    明星高校
６、受験学部：    法学部、経済学部
７、入試説明会参加履歴：  説明会参加なし
表示の例示
合否通知対象表示画面→法学部、経済学部それぞれのリンクあり
→法学部あるいは経済学部を選択→
・法学部を選択した場合
→法学部を選択→合否結果：合格→合格された皆様への説明画面へと続く。
→男性の法学部受験生に、男性の法学部卒業生からのメッセージ（２と６の属性の組み合わせ）
→男性で関東在住の法学部受験生に、男性の関東出身の法学部卒業生からのメッセージ（２と４と６の属性の組み合わせ）
→関東在住の法学部受験生に、関東出身の法学部在校生からのメッセージ（４と６の属性の組み合わせ）
→関東在住の受験生に、関東出身の著名人からのメッセージ（４の属性）
・経済学部を選択した場合
→経済学部を選択→合否結果：補欠合格→補欠合格の説明画面へと続く。
【００３１】
受験生Ｘ２についてもほぼＸ１と同様の経過をたどるが、Ｘ２は同一受験番号で複数学部の判定を希望しているため、受験番号別合否情報データベースには、それぞれの学部についての合否情報が登録されている。合否結果の問い合わせ時に、受験番号別合否情報データベースに登録されたデータが複数ある場合には、合否通知対象表示画面に合否対象判定学部名を一覧表示し、検索者が学部名を選択することにより、その学部の合否情報を取り出し、受験生に結果として表示する。合格した学部については、属性に応じたメッセージが表示されるが、Ｘ２の属性は「１９歳  男性  出身地山梨県  出身高校  明星高校  」であり、上記受験生Ｘ１とは異なった先輩メッセージが用意されている。また、Ｘ２の保護者がアクセスした場合には、保護者向けのメッセージが用意されている（図５（ｃ））。
本実施例の属性アクション情報対応関係設定表は、図５（ａ）（ｂ）を用いる。画面を順次選択する方法を取らず、しかも受験生だけではなく、保護者への対応も考えたケースについてのものとなる。まず受験生用の設定図５（ａ）であれば、男性であれば２種類のメッセージ（アクションＩＤ１・２）が最低表示され、関西以東の出身地によっては、メッセージ（アクションＩＤ１０・１２・１３）のいずれかが最低追加表示されることとなる。また保護者には図５（ｂ）の設定にもとづき、例えば男性の受験生の保護者には学長メッセージのアクションＩＤ２0のアクション情報が表示されることとなる。
【実施例４】
【００３２】
なお、本実施例においては、まわし合格と補欠合格についての工夫点について説明する。まわし合格とは、受験学部・学科については不合格であるが、別の学部であれば、あるいは別の学科であれば合格となるというような場合には、学校が自ら、不合格の通知の際に、「○○学部・学科であれば、合格となりますが、その希望はありませんか」などのメッセージを表示するものであります。この時は、図２Ｂの結果欄に不合格の２と表示し、備考欄に上記メッセージを記載すれば、そのメッセージが結果とともに表示される。また補欠合格については、結果欄に補欠合格の３と記載し、備考欄に補欠順位を記載することになる。  
【００３３】
さらに、希望順位のある同時複数出願の際の「結果」と「結果備考欄」の使用方法例としては、以下のように自由に設定が可能である。一般に希望順位の高い方が合格していれば、より下位の判定は行わないため、下記の２通りの設定が可能である。
１）判定しない学科についても、データを作成し、結果は９（結果備考欄のテキストのみ表示）、結果備考欄には「判定せず」と表示する。
２）判定しない学科についてはデータは作成せず。合格した上位希望学科の結果備考欄に「○○学科は判定せず」と入力して、上位希望学科の合格通知と同じ画面で「○○学科は判定せず」を表示する。
【００３４】
また、補欠合格の学部については、補欠合格者用メッセージの表示とともに、受験番号別合否情報データベースに受験番号別にされている備考情報がある場合には、備考情報の内容も表示される。
【実施例５】
【００３５】
本実施例では、アクション情報閲覧履歴について説明する。本発明では、アクション情報の閲覧履歴は図７に示すような状態で保存されるため、受験番号・学部学科・アクションＩＤ等で閲覧状況を抽出可能であり、即座に対象人数分の閲覧人数を表示させておくこともできるし、その他のデータも作成可能である。このような閲覧状況の保存や分析ができることから、学校側はアクション情報の閲覧状況や履歴をみることにより、どのようなアクション情報を合格発表時に行うのが入学率を向上させるために効果的かあるいは、アクション情報を見たもののどれくらいの割合が現実に入学するのか、あるいは効果的なアクション情報とは何なのかなど、種々のデータを取得することができる。このデータを利用すれば、入学率をあらかじめ予測したり、次年度の入学率向上のための対策を立てることが可能となる。
当初設定したアクション情報閲覧履歴と入学率とを対比させ、ある特定のアクション情報を閲覧した人の入学率が高ければそのアクション情報を受験生のみではなく、保護者のアクション情報にも採用するなど状況に応じて対応を変化させることも可能となる。
【００３６】
なお、このような履歴を保存しているため、一定期間経過後には、検索履歴のある受験番号及び入学手続の行われた受験番号以外の受験番号のみのデータに変更し、追加延長の期間データ量を落とした状態で検索可能とする工夫も可能である。
【産業上の利用可能性】
【００３７】
本発明は、受験生からのネットワークを利用した合否判定結果検索時に自己に非常に関連する属性に基づく、合格学校への入学意欲を掻き立てるメッセージのネットワーク配信を可能とし、合格発表閲覧時に入学率向上を促進するものであるため、産業上の利用可能性を有するものである。
【図面の簡単な説明】
【００３８】
【図１】合否通知時における個人別情報提供システム概要フロー図である。
【図２】Ａ）受験番号別属性情報  Ｂ）合否情報  を示す図である。
【図３】アクションＩＤ番号とアクション情報の携帯電話画面での表示例を示す図である。
【図４Ａ】実施例１についての受験生属性とアクション情報の対応関係設定画面を示す図である。ａ）受験生向け１画面目のメッセージ設定画面  ｂ）受験生向け２画面目のメッセージ設定画面
【図４Ｂ】実施例１についての受験生属性とアクション情報の対応関係設定画面を示す図である。ｃ）受験生向け３画面目のメッセージ設定画面
【図４Ｃ】実施例１についての受験生属性とアクション情報の対応関係設定画面を示す図である。ａ）保護者向け１画面目のメッセージ設定画面  ｂ）保護者向け２画面目のメッセージ設定画面
【図５】実施例２についての受験生属性とアクション情報の対応関係設定画面を示す図である。ａ）受験生向け１画面目のメッセージ設定画面  ｂ）保護者向け１画面目のメッセージ設定画面  ｃ）３種類の属性に対応したメッセージ画面
【図６】携帯電話での合否問合せにおけるログイン以降の画面構成を示す図である。
【図７】アクション情報閲覧履歴集計画面の一例を示す図である。
【要約】
【課題】  受験の合否を通知するシステムにおいて、合格後入学辞退率の減少を図るための合格時における本人の属性に関連する入学勧誘情報通知システムの提供
【解決手段】合否の情報とともに、受験者の出願書類から判明する属性及び学校側が把握している属性に関連付けられたアクション情報を送信表示することで、合格時の喜びの瞬間に自己に関連が深く、印象に残る勧誘メッセージを検索してきた受験生・保護者に届けることを可能とする。また、複数学部受験、補欠合格、まわし合格等の種々の合否の状況にきめ細かく対応可能とする。
【選択図】図１【図１】
0004108116.tif 000002
【図２】
0004108116.tif 000003
【図３】
0004108116.tif 000004
【図４Ａ】
0004108116.tif 000005
【図４Ｂ】
0004108116.tif 000006
【図４Ｃ】
0004108116.tif 000007
【図５】
0004108116.tif 000008
【図６】
0004108116.tif 000009
【図７】
0004108116.tif 000010